(57)【要約】【目的】  全体を発光させることで、決して明るすぎることはないがその位置は充分に確認することができ、比較的低い電圧でも使用することができ、手すりや柵などに用いることのできる表示灯を廉価に提供することを目的とする。【構成】  透明または半透明の中空円筒パイプ１１と、この中空円筒パイプ１１中に挿入される基板１２と、この基板１２に電源と制御信号を送る接続部分１５と、基板１２上に設置されるＬＥＤ素子１４とを設けて表示灯１０を構成する。【選択図】            図１
2005266497.tif 000002
【特許請求の範囲】
【請求項１】
透明または半透明の中空管形部材と、
この中空管形部材中に挿入される１ないし複数の基板と、
この基板に電源と制御信号を送る接続部と、
前記基板上に設置される発光素子と
を有することを特徴とする表示灯。
【請求項２】
前記中空管形部材は中空円筒であることを特徴とする請求項１に記載の表示灯。
【請求項３】
前記中空管形部材は内部に前記基板を保持するための溝または段差を有することを特徴とする請求項１または請求項２に記載の表示灯。
【請求項４】
前記発光素子は発光ダイオード素子であることを特徴とする請求項１ないし請求項３のいずれかに記載の表示灯。
【請求項５】
前記基板上に設置される前記発光素子は、前記中空管形部材の長さ方向に所定の間隔を置いて設置されることを特徴とする請求項１ないし請求項４のいずれかに記載の表示灯。
【請求項６】
前記基板上には異なった色の前記発光素子が混在するように設置することを特徴とする請求項１ないし請求項５のいずれかに記載の表示灯。
【発明の詳細な説明】
【技術分野】
【０００１】
本発明は、表示灯に関し、特に手すりや柵、案内ガイドとして用いられ、発光して場所を知らせる表示灯に関する。
【背景技術】
【０００２】
暗い中でも手すりや階段などのあり場所がわかれば、人々は安心して移動することができる。夜間の住宅や事務所内、映画館や劇場、ホール、人通りの少ない道路や神社、寺院など、暗がりになりやすい場所に、灯りを兼ねた手すりや柵を設けると、必ずしも充分に明るい照明でなくてもそのあり場所がわかるだけで十分安全が保てる。
手すりを発光させる考え方で、文字や標識を切り抜いた遮光性管状体を設け、内部に蛍光灯を挿入し、蛍光灯の点灯によって文字や標識を表示することを狙った発明が報告されている（特許文献１参照。）。
しかしながら、このような蛍光灯などを用いて照明装置として充分な明るさを示さなくても、上述したように、手すりの発光は必ずしも充分に明るいものである必要はなく、その位置が視認できるようなものであれば、安全や案内の目的には充分である。夜間の住宅や事務所内で用いる場合や映画館や劇場などでの案内では、かえって、明るすぎることが設置場所にそぐわないという問題も生まれる。また、手すりの内部で蛍光灯を発光させるためには、相応の電圧が必要になり、電池などの低圧電源では対処することができないという問題もある。さらに、この例では、文字や標識を切り抜いた遮光性の管状体を形成しているために加工が複雑で高価になるという問題も有している。
【特許文献１】特開平１０−１８３９２６号公報
【発明の開示】
【発明が解決しようとする課題】
【０００３】
上述のように、手すりの外周を文字などを切り抜いた遮光性の構成にし、内部に蛍光灯などを挿入して表示させる方法は、文字などの表示内容は充分に視認することができるものの、必要以上に明るすぎて必ずしも設置場所に適っているとはいえないという問題があった。
本発明は、全体を発光させることでこの問題を解決して、決して明るすぎることはないがその位置は充分に確認することができ、比較的低い電圧でも使用することができ、手すりや柵などに用いることのできる表示灯を廉価に提供することを課題とする。
【課題を解決するための手段】
【０００４】
上記課題を解決するため、本発明の請求項１に記載の表示灯は、透明または半透明の中空管形部材と、この中空管形部材中に挿入される１ないし複数の基板と、この基板に電源と制御信号を送る接続部と、前記基板に設置される発光素子とを有することを特徴とする。
【０００５】
上記課題を解決するため、本発明の請求項２に記載の表示灯は、請求項１に記載の表示灯において、前記中空管形部材は中空円筒であることを特徴とする。
【０００６】
上記課題を解決するため、本発明の請求項３に記載の表示灯は、請求項１または請求項２に記載の表示灯において、前記中空管形部材は内部に前記基板を保持するための溝または段差を有することを特徴とする。
【０００７】
上記課題を解決するため、本発明の請求項４に記載の表示灯は、請求項１ないし請求項３のいずれかに記載の表示灯において、前記発光素子は発光ダイオード（ＬＥＤ）素子であることを特徴とする。
【０００８】
上記課題を解決するため、本発明の請求項５に記載の表示灯は、請求項１ないし請求項４のいずれかに記載の表示灯において、前記基板上に設置される前記発光素子は、前記中空管形部材の長さ方向に所定の間隔を置いて設置されることを特徴とする。
【０００９】
上記課題を解決するため、本発明の請求項６に記載の表示灯は、請求項１ないし請求項５のいずれかに記載の表示灯において、前記基板上には異なった色の前記発光素子が混在するように設置することを特徴とする。
【発明の効果】
【００１０】
本発明はこのように構成したので、比較的簡単な構成で中空管形部材を内部から光らすことができ、発光素子の発光照度が比較的低照度でも充分な視認性が得られる手すりや柵に用いることが可能な表示灯を比較的廉価に実現することができる。
また、中空管形部材を細身の中空円筒にすることで、手すりとして用いて握り易く安全な表示灯を実現することができる。
【００１１】
また、中空管形部材の内部に基板を保持するための溝や段差を設けたので、中空管形部材の内部で基板が移動することがなく、基板上の発光素子の位置も変わらないので、中空管形部材の長さ方向に対して比較的一様な明るさを得ることができる。
また、発光素子が発光ダイオード（ＬＥＤ）素子であるので点灯しても発熱することがなく、手すりを触った際に違和感がない。
【００１２】
発光ダイオード素子は表示灯の長さ方向に所定の間隔を置いて設けられているため、中空管形部材の長さ方向に対して比較的一様な明るさを得ることができる。
また、異なった色の発光素子を混在するように設置することで、比較的廉価な発光素子を使用して白色光に近い光を得ることができる。
【発明を実施するための最良の形態】
【００１３】
本発明の表示灯の実施の形態を図面に沿って具体的に説明する。
図１は、本実施の形態の表示灯１０を手すりとして用いた場合の一部透視の外観斜視図である。表示灯１０の両端部には取付金具２０が設けられ、この取付金具２０の一方には図示しない電源コネクタが設けられているか、取付金具２０から電源線が引き出されている。表示灯１０の外殻を構成するパイプ１１の内部には基板１２が設けられ、基板１２にはＬＥＤ素子１４が設けられている。
【００１４】
図２に、本実施の形態の表示灯１０のその長さ方向に垂直な平面での断面図（ａ）と、図２（a）のＡ−Ａ´平面での長さ方向の断面図（ｂ）を示す。表示灯１０は乳白色のアクリル樹脂製の半透明の円筒パイプ１１で構成されている。パイプ１１の径は３２mmで肉厚は３mmで長さは任意である。パイプ１１内部には基板１２を保持する溝１３が切られている。パイプ１１は押し出し成型加工によって作成することもできるし、Ａ−Ａ´平面で縦に切断した半分づつを張り合わして製作しても良い。
ここではパイプ１１を乳白色半透明のものとしたが、透明のスケルトンタイプとしても良く、その他の色の樹脂で構成しても差し支えない。
【００１５】
図３に、図２（a）でのＢ−Ｂ´平面での水平方向に切った断面図上での基板１２と接続部分１５との配置図（ａ）と各基板１２の相互接続関係図（ｂ）とを示す。基板１２は１ｍｍ厚みの紙フェノール基板、エポキシ樹脂基板などのプリント基板のほか、ポリイミドやポリエステルのフィルムを用いたフレキシブルプリント基板などを用いることができる。また、基板１２自身には紙フェノール基板、エポキシ樹脂基板などの硬質プリント基板を用い、基板相互の接続部分１５にはフレキシブル基板を用いても良い。
【００１６】
各基板１２にはそれぞれ２個のＬＥＤ素子１４が載置できるようになっていて、各基板１２には電源と２個のＬＥＤ素子１４のオンオフを制御する２組の信号が共通に入力される。各基板１２上には赤、橙、黄、緑などのＬＥＤ素子１４から選んだ異なった色の２個を取り付けるようにし、また基板１２ごとにそれぞれ異なった色の組み合わせのLED素子１４を用いるようにする。このような色のＬＥＤ素子１４を用いることで、比較的廉価な素子を用いながら表示灯１０全体として白色光に近い発光が得られるようにすることができる。全体を点灯したときの周囲の照度は１５lx程度である。勿論、白色のＬＥＤ素子や高輝度のＬＥＤ素子を用いてさらに明るくすることもできる。
ＬＥＤ素子素子１４の駆動電圧は数Ｖ程度で充分であるので、電源電圧としてＤＣ６〜１２Ｖ程度のものを用いればよく、電池電源で駆動させることも可能である。
【産業上の利用可能性】
【００１７】
本発明は以上のように構成したので、比較的簡易かつ廉価に、内部から発光し視認性の良い手すりや柵として用いることが可能な表示灯を実現することができる。この表示灯は、夜間に家庭や事務所で用いたり、映画館やホールなどで用いることで、案内と安全とを提供することができる。また、屋外で用いても、十分な指示を与えることができる。
したがって、公共の場所は勿論、家庭などでも広く用いて、案内と安全に寄与することができ、広い範囲での利用が考えられる。
【図面の簡単な説明】
【００１８】
【図１】本発明の表示灯を手すりとして用いた場合の外観斜視図である。
【図２】本発明の表示灯の断面図である。
【図３】本発明の表示灯の基板と接続部分との配置図と相互接続図である。
【符号の説明】
【００１９】
１０    表示灯
１１    円筒パイプ
１２    基板
１３    溝
１４    発光ダイオード（ＬＥＤ）素子
１５    接続部分
２０    取付金具
【図１】
2005266497.tif 000003
【図２】
2005266497.tif 000004
【図３】
2005266497.tif 000005